(57)【要約】  【課題】貯蔵室周縁での結露の継続的な発生を防止するとともに冷却効率を低下させず、かつ、効率よく生産することが可能な冷蔵庫を提供する。  【解決手段】内箱７０と、外箱７１と、内箱７０および外箱７１の間に充填された発泡断熱材７２とにより形成された断熱箱体５２と、冷却サイクルの放熱側に設けられた放熱パイプ８０とを備える冷蔵庫５１であって、内箱７０は、内箱７０の開口縁から外側に向かって形成され内箱７０内の貯蔵室の開口部周縁の一部を構成する開口部前面壁７０ａを有し、放熱パイプ８０は、一部が開口部前面壁７０ａの周縁部に沿う状態で、内箱７０に取り付けられていることにより、放熱パイプ８０は貯蔵室から遠い場所に配置されることとなり、貯蔵室周縁での結露の継続的な発生を防止するとともに、放熱パイプ８０からの貯蔵室への熱量の侵入を抑制することができる。【選択図】図３
2009156478.tif 000002
【特許請求の範囲】
【請求項１】
内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記放熱パイプは、一部が前記開口部前面壁の周縁部に沿う状態で、前記内箱に取り付けられている冷蔵庫。
【請求項２】
内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記放熱パイプは、一部が前記開口部前面壁の背面に沿う状態で、前記内箱に取り付けられている冷蔵庫。
【請求項３】
内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記開口部前面壁の一部には、長手方向に凹部が形成されており、前記放熱パイプが前記凹部に取り付けられた時に、前記放熱パイプの一部が前記凹部の内壁と接触する接触部を形成し、前記接触部より後方に空間部が設けられている冷蔵庫。
【請求項４】
前記凹部はＶ溝であり、前記空間部は前記Ｖ溝の頂点と前記放熱パイプの曲面外周部とで構成された請求項３に記載の冷蔵庫。
【請求項５】
前記凹部は前記開口部前面壁の長手方向に形成された溝であり、前記溝には長手方向に複数の突起が所定の間隔で並んで形成されており、前記空間部は前記複数の突起の相互間において前記放熱パイプの後方に形成された請求項３に記載の冷蔵庫。
【請求項６】
前記外箱に前記内箱の開口部前面壁に相対する前部フランジを形成し、前記凹部内に前記放熱パイプを設置して前記外箱に前記内箱を挿入した状態において、前記放熱パイプが前記外箱の前部フランジに接触する請求項３から５のいずれか一項に記載の冷蔵庫。
【請求項７】
前記外箱に前記内箱の開口部前面壁に相対する前部フランジを形成し、前記凹部内に前記放熱パイプを設置して前記外箱に前記内箱を挿入した状態において、凹部を形成する内箱が前記空間部を介して弾性を有することにより、前記放熱パイプを前記外箱の前部フランジに圧接する請求項３から５のいずれか一項に記載の冷蔵庫。
【請求項８】
前記凹部内に前記放熱パイプを設置した状態においては、前記放熱パイプの前端面は前記凹部の先端部より突出しておらず前記凹部の先端部内に収容され、前記外箱に前記内箱を挿入した状態において、前記凹部を形成する内箱の弾性によって前記放熱パイプの前端面が前記凹部の先端部より押し出され、前記放熱パイプを前記外箱の前部フランジに圧接する請求項７に記載の冷蔵庫。
【発明の詳細な説明】
【技術分野】
【０００１】
本発明は、冷蔵庫に関し、特に冷蔵庫の開口部近傍の結露防止構造に関する。
【背景技術】
【０００２】
従来、冷蔵庫においては、冷却された庫内温度の影響により貯蔵室の開口部近傍に外部空気中の水蒸気が凝縮結露することを防止するため、貯蔵室の開口部周縁を加熱する構造が採用されている。
【０００３】
具体的には、冷蔵庫における冷却サイクルの放熱側に設けられた放熱パイプの一部を、冷蔵庫の開口部周縁および貯蔵室を区画する仕切壁の前面部分に配置することが一般的に行われている。
【０００４】
つまり、結露防止のための専用の電気ヒータ等を用いることなく、冷却サイクルにおいて放出される熱を利用して結露を防止する工夫がなされている。
【０００５】
図１０は、従来の冷蔵庫の前面部における放熱パイプの配置態様の一例を示す正面図である。
【０００６】
図１０に示す従来の冷蔵庫１００は、断熱箱体１５２内に、冷蔵室１５３、製氷室１５４、温度変更が可能な切換室１５５、野菜室１５６、および冷凍室１５７を貯蔵室として備えている。
【０００７】
また、これら各貯蔵室の仕切壁を含む開口部周縁に沿うように、放熱パイプ１８０が配置されている。
【０００８】
断熱箱体１５２は、外箱１７１と内箱１７０と、外箱１７１および内箱１７０の間に充填された発泡断熱材１７２とで形成されている。
【０００９】
断熱箱体１５２内では、図１０のＣ−Ｃ断面図に示すように、放熱パイプ１８０が外箱１７１に沿って密着配置されている。
【００１０】
図１０に示す放熱パイプ１８０のＡ端の先には圧縮機および凝縮器（図示せず）が存在し、圧縮機で高圧に圧縮されたガス冷媒が放熱パイプ１８０に流入する。
【００１１】
放熱パイプ１８０に流入したガス冷媒は、放熱パイプ１８０管内をＢ端に向かって流れ、放熱しながら液化凝縮する。この放熱作用より、各貯蔵室の開口部周縁が加熱され、結露の継続的な発生が防止される。
【００１２】
このような構造の断熱箱体１５２は、外箱１７１の下方から内箱１７０がスライド挿入されるようにして組み立てられる。
【００１３】
図１１は、従来の断熱箱体１５２の組立工法の概要を示す図である。
【００１４】
図１１に示すように、放熱パイプ１８０は予め外箱１７１に取り付けられている。また、外箱１７１を広げた状態にして、生産ラインの上流から搬送されてくる内箱１７０がスライド挿入される。
【００１５】
また、このようにして断熱箱体１５２が組み立てられた後に、外箱１７１の底や背面となる板が取り付けられ、例えばウレタンのような発泡断熱材１７２が断熱箱体１５２の内部に充填される。断熱箱体１５２はこのような手順により効率よく組み立てられる。
【００１６】
以上のように構成された断熱箱体１５２において、放熱パイプ１８０の配置態様を起因とする冷却効率の低下等の問題を招くことがある。
【００１７】
具体的には、１本の放熱パイプ１８０を、図１０に示すように各貯蔵室の開口部周縁に沿うように配置するためには、各貯蔵室間の仕切壁では、放熱パイプ１８０はＵ字状に折り返されて、ほぼ貯蔵室の横幅の全長において二条に配置されることになる。
【００１８】
そのため、放熱パイプ１８０が結露防止の目的としては過剰な加熱となる場合がある。この場合、貯蔵室内への侵入熱量が増加することで、冷却効率の低下と消費電力の増加とを招くことになる。
【００１９】
また、放熱パイプ１８０の全長は長いものとなる。これは、冷蔵庫１００の生産コストの削減を妨げる要因の一つとなる。
【００２０】
そこで、貯蔵室の開口部周縁の結露防止をより効率よく行うための技術も開示されている（例えば、特許文献１参照）。
【００２１】
図１２は、従来の冷蔵庫における放熱パイプの配置態様の別の一例を示す透視図である。
【００２２】
図１２に示す従来の冷蔵庫２００は、断熱箱体２３１を備え、断熱箱体２３１の内部は第一の仕切壁２３５および第二の仕切壁２３６により区画されている。これにより、冷蔵室２３７と、野菜室２３８と、冷凍室２３９とが形成されている。
【００２３】
また、圧縮機２５１と凝縮器２５２とが断熱箱体２３１の底部に設けられており、凝縮器２５２には、上述の放熱パイプとして機能する防露配管２５３が接続されている。
【００２４】
ここで、防露配管２５３は冷蔵庫２００の前面部においては野菜室２３８の開口周縁部の三辺を囲むように一条に配置されている。
【００２５】
防露配管２５３の下流には、断熱箱体２３１の外箱の内面に配置された凝縮配管２５４が接続されており、凝縮配管２５４の下流には減圧器として作用する毛細管２５５が接続されている。
【００２６】
毛細管２５５は、冷凍室２３９の後方に設けられた冷却器２５６に接続され、冷却器２５６と圧縮機２５１とは吸入管２５７により接続されている。
【００２７】
このように、圧縮機２５１、凝縮器２５２、防露配管２５３、凝縮配管２５４、毛細管２５５、冷却器２５６、および吸入管２５７はこの順に接続されており、一つの冷却サイクルを構成している。
【００２８】
このように構成された冷蔵庫２００において、防露配管２５３が配置されている野菜室２３８の開口部周縁の温度も上昇する。これにより当該周縁の結露の継続的な発生が防止できる。
【００２９】
また、防露配管２５３が一条の配管であるため必要以上の加熱が行われず、結露防止のために必要な加熱量に留められる。そのため、庫内側への侵入熱量が低減され冷却効率が高まる。
【００３０】
また、凝縮配管２５４の温度も上昇するため、凝縮配管２５４の前方に伝導される熱により冷蔵室２３７の開口部側面と天面、野菜室２３８の開口部側面、および冷凍室２３９の開口部側面における結露の継続的な発生が防止できる。
【００３１】
従来の冷蔵庫２００は、このように防露配管２５３等の放熱パイプの配置を簡素化することにより、各貯蔵室の開口部周縁の結露の継続的な発生を防止するとともに、冷却効率の低下を防止している。
【特許文献１】特開２００１−１２８４１号公報
【発明の開示】
【発明が解決しようとする課題】
【００３２】
しかしながら、上記従来の冷蔵庫１００および冷蔵庫２００の放熱パイプは、ともに、外箱に取り付けられる前においては左右方向に延びたＵ字形状部分が片側にのみ支持される形状である。つまり、外箱に取り付けられる前においては不安定な形状である。
【００３３】
放熱パイプがこのような形状である場合、冷蔵庫の生産を行う現場における放熱パイプの管理が困難なものとなる。
【００３４】
具体的には、放熱パイプは一般的には銅を原料とする外径４〜４．７６ｍｍ、内径３〜４ｍｍ程度のパイプである。そのため、左右方向に伸びた部分が一方にのみ支持されている場合、外箱に取り付けられる前においては、自重や運搬、輸送時の取り扱い等により変形し易いものである。
【００３５】
また、放熱パイプは上述のように冷却システムの一部を構成するものであり、わずかな損傷であってもガス冷媒が漏れた場合、冷蔵庫として機能しない状態となる。
【００３６】
従って、冷蔵庫の生産現場において、このように重要な放熱パイプを変形せずかつ損傷を受けないように保管する場合、上記従来の放熱パイプの形状は安定性を欠いており適切なものではない。このことは、冷蔵庫の生産の効率化を妨げる要因となっていた。
【００３７】
もちろん、放熱パイプの配置位置を、上記従来の冷蔵庫２００のようにすることで、結露の防止と、冷却効率の低下防止等とを両立させることには意義がある。
【００３８】
そこで、上記従来の冷蔵庫２００のように、冷蔵室２３７の開口部周縁には放熱パイプを配置せず、かつ、放熱パイプの一部に冷蔵庫内を左右に渡る部分を持たせるように放熱パイプを形成することが考えられる。
【００３９】
つまり、放熱パイプの形状を、結露の防止と、冷却効率の低下等とを両立させ、かつ、少なくとも一箇所の左右方向に延びる部分を両端に支持させることにより、より容易に取り扱える形状とすることが考えられる。
【００４０】
しかしながら、図１１を用いて説明したように、断熱箱体を組み立てる場合、一般的に、放熱パイプを予め外箱に取り付けておき、外箱を広げてから内箱がスライド挿入される。
【００４１】
そのため、上記のように、放熱パイプの一部に冷蔵庫内を左右に渡る部分を持たせた場合、外箱の中段付近で放熱パイプが架橋状に渡されることとなり、外箱を図１１に示すように広げることはできない。つまり、断熱箱体を通常通り組み立てることが実質的に不可能となるという問題がある。
【００４２】
この対応として、内箱に直接放熱パイプを取り付ける方法がとられている。これならば外箱を従来同様開いて、内箱を挿入することが可能である。しかしながら、内箱に直接放熱パイプを取り付けると、本来機能目的である結露する開口部周縁の外箱表面を加熱しなければならないが、取り付けられている内箱を加熱してしまい侵入熱量の増加による冷却効率の低下を引き起こす問題が生じる。
【００４３】
また、テープで放熱パイプを外れないように放熱パイプの長手方向に固定すると、内箱への熱伝導が促進されて、さらに侵入熱量が増大し、熱伝導の良いアルミテープなどで固定するとさらに侵入熱量が増大してしまう問題があった。
【００４４】
本発明は、上記従来の課題を考慮し、貯蔵室周縁での結露の継続的な発生を防止するとともに冷却効率を低下させず、かつ、効率よく生産することが可能な冷蔵庫を提供することを目的とする。
【課題を解決するための手段】
【００４５】
上記従来の課題を解決するために、本発明の冷蔵庫は、内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記放熱パイプは、一部が前記開口部前面壁の周縁部に沿う状態で、前記内箱に取り付けられている。
【００４６】
これによって、本発明の冷蔵庫では、放熱パイプは内箱の開口部前面壁の周縁部、つまり貯蔵室から遠い場所に配置されることとなり、貯蔵室周縁での結露の継続的な発生を防止するとともに、放熱パイプからの貯蔵室への熱量の侵入を抑制することができる。
【００４７】
さらに、内箱の開口部前面壁の凹部で放熱パイプの外周を覆うことがなく、一方から放熱パイプを押し付けているので内箱への熱伝導を抑制することができる。
【００４８】
また、本発明の冷蔵庫は、内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記放熱パイプは、一部が前記開口部前面壁の背面に沿う状態で、前記内箱に取り付けられている。
【００４９】
これによって、本発明の冷蔵庫では、放熱パイプは内箱の開口部前面壁の周縁部、つまり貯蔵室から遠い場所に配置されることとなり、貯蔵室周縁での結露の継続的な発生を防止するとともに、放熱パイプからの貯蔵室への熱量の侵入を抑制することができる。
【００５０】
さらに、内箱の開口部前面壁の凹部で放熱パイプの外周を覆うことがなく、一方から放熱パイプを押し付けているので内箱への熱伝導を抑制することができる。
【００５１】
また、本発明の冷蔵庫では、内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記開口部前面壁の一部には、長手方向に凹部が形成されており、前記放熱パイプが前記凹部に取り付けられた時に、前記放熱パイプの一部が前記凹部の内壁と接触する接触部を形成し、前記接触部より後方に空間部が設けられている。
【００５２】
これによって、放熱パイプと内箱との接触面積を小さなものとすることができる。このように内箱の開口部前面壁の凹部で放熱パイプに密着させることがなく、放熱パイプと内箱との接触面積を減少させることで内箱への熱伝導を抑制することができる。
【００５３】
以上のように、本発明の冷蔵庫では、放熱パイプを貯蔵室から遠い位置に配置する、または、放熱パイプと内箱との接触面積を減らすことにより、貯蔵室の開口部周縁での結露の継続的な発生を防止するとともに、放熱パイプからの貯蔵室への熱量の侵入を抑制することができる。
【００５４】
また、いずれの場合であっても、放熱パイプは内箱に取り付けられる。そのため外箱と内箱とからなる断熱箱体の組立工法に、放熱パイプの形状は関与しない。
【００５５】
つまり、放熱パイプに、例えば、冷蔵庫の最上部以外で架橋状に渡される部分、内箱の左内壁から右内壁に渡されることになる部分を持たせることができる。
【００５６】
これにより、放熱パイプは扱い易いものとなり、冷蔵庫の生産効率を向上させることができる。また、放熱パイプの配置を簡素化することができ、冷蔵庫の生産コストを抑えることができる。
【発明の効果】
【００５７】
本発明は、結露の継続的な発生を防止するとともに冷却効率を低下させず、かつ、効率よく生産することが可能な冷蔵庫を提供することができる。
【発明を実施するための最良の形態】
【００５８】
請求項１に記載の発明は、内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記放熱パイプは、一部が前記開口部前面壁の周縁部に沿う状態で、前記内箱に取り付けられていることにより、放熱パイプは内箱の開口部前面壁の周縁部、つまり貯蔵室から遠い場所に配置されることとなり、貯蔵室周縁での結露の継続的な発生を防止するとともに、放熱パイプからの貯蔵室への熱量の侵入を抑制することができる。
【００５９】
さらに、内箱の開口部前面壁の凹部で放熱パイプの外周を覆うことがなく、一方から放熱パイプを押し付けているので内箱への熱伝導を抑制することができる。
【００６０】
請求項２に記載の発明は、内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記放熱パイプは、一部が前記開口部前面壁の背面に沿う状態で、前記内箱に取り付けられていることにより、放熱パイプは内箱の開口部前面壁の周縁部、つまり貯蔵室から遠い場所に配置されることとなり、貯蔵室周縁での結露の継続的な発生を防止するとともに、放熱パイプからの貯蔵室への熱量の侵入を抑制することができる。
【００６１】
さらに、内箱の開口部前面壁の凹部で放熱パイプの外周を覆うことがなく、一方から放熱パイプを押し付けているので内箱への熱伝導を抑制することができる。
【００６２】
請求項３に記載の発明は、内箱と、外箱と、前記内箱および前記外箱の間に充填された断熱材とにより形成された断熱箱体と、冷却サイクルの放熱側に設けられた放熱パイプとを備える冷蔵庫であって、前記内箱は、前記内箱の開口縁から外側に向かって形成され前記内箱内の貯蔵室の開口部周縁の一部を構成する開口部前面壁を有し、前記開口部前面壁の一部には、長手方向に凹部が形成されており、前記放熱パイプが前記凹部に取り付けられた時に、前記放熱パイプの一部が前記凹部の内壁と接触する接触部を形成し、前記接触部より後方に空間部が設けられていることにより、放熱パイプと内箱との接触面積を小さなものとすることができる。このように内箱の開口部前面壁の凹部で放熱パイプの外周に密着させることがなく、放熱パイプと内箱との接触面積を減少させることで内箱への熱伝導を抑制することができる。
【００６３】
請求項４に記載の発明は、請求項３に記載の発明において、前記凹部はＶ溝であり、前記空間部は前記Ｖ溝の頂点と前記放熱パイプの曲面外周部とで構成されたことにより、放熱パイプと内箱との接触面積を小さなものとすることができる。また、直線部と直線部との組合せで凹部を構成するので簡単に放熱パイプと内箱との接触面積を最小限に抑えることができる。このように内箱の開口部前面壁の凹部で放熱パイプの外周に密着させることがなく、放熱パイプと内箱との接触面積を減少させることで内箱への熱伝導を抑制することができる。
【００６４】
請求項５に記載の発明は、請求項３に記載の発明において、前記凹部は前記開口部前面壁の長手方向に形成された溝であり、前記溝には長手方向に複数の突起が所定の間隔で並んで形成されており、前記空間部は前記複数の突起の相互間において前記放熱パイプの後方に形成されたことにより、放熱パイプと内箱との接触面積を小さなものとすることができる。このように内箱の開口部前面壁の凹部で放熱パイプの外周に密着させることがなく、放熱パイプと内箱との接触面積を減少させることで内箱への熱伝導を抑制することができる。さらに、開口部前面壁に複数の突起を有することで、空間部の形状を維持するための強度を向上させることができ、安定した空間部の構成が可能である。
【００６５】
請求項６に記載の発明は、請求項３から５のいずれか一項に記載の発明において、前記外箱に前記内箱の開口部前面壁に相対する前部フランジを形成し、前記凹部内に前記放熱パイプを設置して前記外箱に前記内箱を挿入した状態において、前記放熱パイプが前記外箱の前部フランジに接触することにより、放熱パイプが外箱の前部フランジに密着したこととなり、外箱の前部フランジの温度を効率よく上昇させるとともに、ウレタン漏れを防止できる。
【００６６】
請求項７に記載の発明は、請求項３から５のいずれか一項に記載の発明において、前記外箱に前記内箱の開口部前面壁に相対する前部フランジを形成し、前記凹部内に前記放熱パイプを設置して前記外箱に前記内箱を挿入した状態において、凹部を形成する内箱が前記空間部を介して弾性を有することにより、前記放熱パイプを前記外箱の前部フランジに圧接することにより、空間部が寸法誤差を吸収し放熱パイプは前部フランジに対して付勢力をもって密着できることとなり、外箱の前部フランジの温度をより効率よく上昇させるとともに、ウレタン漏れを防止できる。
【００６７】
請求項８に記載の発明は、請求項７に記載の発明において、前記凹部内に前記放熱パイプを設置した状態においては、前記放熱パイプの前端面は前記凹部の先端部より突出しておらず前記凹部の先端部内に収容され、前記外箱に前記内箱を挿入した状態において、前記凹部を形成する内箱の弾性によって前記放熱パイプの前端面が前記凹部の先端部より押し出され、前記放熱パイプを前記外箱の前部フランジに圧接することにより、外箱に内箱を挿入する際には、放熱パイプが外箱に当たらないこととなり、外箱を内箱にスムーズに挿入できるとともに、外箱に内箱を挿入した状態においては、空間部が寸法誤差を吸収し放熱パイプは前部フランジに対して付勢力をもって密着できることとなり、外箱の前部フランジの温度をより一層効率よく上昇させることができる。
【００６８】
以下、本発明の冷蔵庫の実施の形態について、図面を参照しながら説明するが、従来例または先に説明した実施の形態と同一構成については同一符号を付して、その詳細な説明は省略する。なお、この実施の形態によってこの発明が限定されるものではない。
【００６９】
（実施の形態１）
まず、図１から図５を用いて本発明の実施の形態１における冷蔵庫５１の構成を説明する。
【００７０】
図１は、本発明の実施の形態１における冷蔵庫の正面図である。
【００７１】
図１に示すように、冷蔵庫５１は、観音開き式の扉を備える冷蔵庫であり、断熱箱体５２内に複数に区画された貯蔵室を備えている。
【００７２】
具体的には貯蔵室として、上部より冷蔵室５３、製氷室５４、製氷室５４に併設され庫内の温度が変更可能な切換室５５、野菜室５６、および冷凍室５７を備えている。
【００７３】
各貯蔵室の開口部には、例えばウレタンのような発泡断熱材を発泡充填した断熱扉が設けられている。具体的には、冷蔵室５３には断熱箱体５２の開口部を開閉可能に塞ぐ左扉６０ａおよび右扉６０ｂが設けられている。
【００７４】
また、製氷室５４、切換室５５、野菜室５６、および冷凍室５７にはそれぞれ引き出し式の扉６１、扉６２、扉６３、および扉６４が設けられている。
【００７５】
また、図１に示すように、断熱箱体５２は、ＡＢＳなどの樹脂体を真空成型した内箱７０とプリコート鋼板などの金属材料を用いた外箱７１とで構成された空間にウレタンなどの発泡断熱材７２が充填された断熱壁で構成されている。
【００７６】
冷蔵庫５１の庫内背面には、冷却器やファンやダンパや風路などが設けられ、冷蔵庫５１の本体下部には圧縮機が設置されている。各々の貯蔵室は所定の温度に冷却制御するよう、冷却器から冷却された空気が分配して送られる。
【００７７】
図２（Ａ）は、実施の形態１の冷蔵庫における放熱パイプの配置態様を示す図である。
【００７８】
図２（Ａ）に示すように、本実施の形態において、内箱７０には、第一の仕切壁９１と、第二の仕切壁９２と、第三の仕切壁９３と、第四の仕切壁９４とが取り付けられている。これら仕切壁により、各貯蔵室が形成されている。
【００７９】
また、内箱７０は、内箱７０の開口縁から外側に向かって形成され内箱７０内の貯蔵室の開口周縁の一部を構成する開口部前面壁７０ａを有する。開口部前面壁７０ａは、本発明の冷蔵庫における内箱の前面壁の一例である。
【００８０】
放熱パイプ８０は、一般的には銅やアルミや鉄などの金属原料を用いた外径４〜４．７６ｍｍのパイプが使われ、製氷室５４、切換室５５、野菜室５６、および冷凍室５７それぞれの開口部周縁に沿って配置されている。これにより、これら開口部周縁での結露の継続的な発生を防止することができる。
【００８１】
放熱パイプ８０は冷媒が液化凝縮するパイプであり、管内ボリュームが大きいと冷却サイクルに封入する冷媒が多く必要になり、製造コストが高くなる。また、管径を小さくしすぎると圧力損失が大きくなり冷却サイクルの効率を低下させる問題があり、前述のサイズが使用されている。
【００８２】
また、放熱パイプ８０には、第一の仕切壁９１の前面で左右に架橋状に渡された部分があり、図２（Ｂ）に示すように、単独での取り扱いが容易な形状である。
【００８３】
図２（Ｂ）は、実施の形態１における冷蔵庫の放熱パイプの外観、および冷却サイクルを説明するための図である。
【００８４】
放熱パイプ８０は冷却サイクルの放熱側に設けられたパイプである。また、第一の仕切壁９１の前面で架橋状に左右に渡された部分があり、かつ冷蔵室５３の外周部に相当する部位がないので、高さが低く、従来よりも安定的な形状である。特に生産までの取り扱い等により変形しやすい、放熱パイプの長い直線部を廃止するので、形状維持が簡易となる。
【００８５】
なお、放熱パイプ８０の、第三の仕切壁９３および第四の仕切壁９４の前面に取り付けられる部分は、左右からＵ字に突き出た形状になっている。これにより、更に放熱パイプの直線部を短くできるので形状維持に有利となる。また、それぞれ、おおよそ仕切壁の横幅の半分程度の長さであるので、放熱パイプ８０による過剰な加熱および当該Ｕ字部分の自重による変形等の問題の発生は抑えられる。
【００８６】
また、冷蔵庫５１における冷却サイクルは従来の冷蔵庫における冷却サイクルと同じである。すなわち、圧縮機８１により圧縮されたガス冷媒は、凝縮器８２を経由し放熱パイプ８０を図の矢印の方向に流れながら液化凝縮し熱を放出する。なお、このとき放熱パイプ８０は、たとえば外気温度３０℃の条件ではおよそ４０℃前後まで温度が上昇する。
【００８７】
また、放熱パイプ８０を通過することで液化凝縮された冷媒は減圧器で減圧させられ、冷却器８３で気化し、圧縮機８１に送り出される。
【００８８】
この冷却サイクルにおいて放出される熱を利用して、各貯蔵室の開口部周縁での結露の継続的な発生が防止される。つまり、水蒸気が凝縮することにより生じる結露がなくなり、見た目の不快感や汚れ、周辺部材の発錆などを防止することが可能となる。
【００８９】
なお、冷蔵室５３内は、他の貯蔵室と比較すると比較的高い温度、つまり、外気との差が比較的小さい温度に保たれている。
【００９０】
そのため、冷蔵室５３の開口部周縁の全周にわたって放熱パイプ８０を配置しない場合であっても、ガスケットおよびシール材により開口部近傍の断熱性を強化することや、外箱側面の前方に放熱パイプを設けて凝縮器の一部とすることで、開口部近傍まで熱伝導により加熱する等により、結露の継続的な発生を実質的に防ぐことができる。つまり、結露水が発生するほどの結露の継続的な発生を防ぐことができる。
【００９１】
以上のような形状で結露防止効果を発揮する放熱パイプ８０は、放熱パイプ８０からの熱が貯蔵室内へ伝わり難い態様で内箱７０に取り付けられる。
【００９２】
図３は、図２（Ａ）におけるＡ−Ａ切断面を示す図である。
【００９３】
図４は、図３に示す切断面の斜視図である。
【００９４】
図３および図４に示すように、外箱７１は、開口縁を内側に折り返して形成した前部フランジ７１ａと、前部フランジ７１ａと所定の間隔をあけて逆方向に折り返された後部フランジ７１ｂとを有する。
【００９５】
この外箱７１の前部フランジ７１ａと後部フランジ７１ｂとの間に、内箱７０の開口部前面壁７０ａが挿入されている。
【００９６】
開口部前面壁７０ａの周縁部には放熱パイプの当接部７０ｂが設けられており、放熱パイプ８０の外周の１／４程度が開口部前面壁７０ａの外周端部前面で当接保持されている。
【００９７】
なお、開口部前面壁７０ａの“周縁部”とは、開口部前面壁７０ａの周縁またはその近傍の部分を指す。
【００９８】
このように、本実施の形態では、貯蔵室（図３における右側の空間）から最も遠い位置に放熱パイプ８０が配置されている。これにより、放熱パイプ８０から放出される熱が貯蔵室内部に伝わり難い構造となっている。
【００９９】
また、当接部７０ｂの背面を後部フランジ７１ｂにより前方に押されることで、放熱パイプ８０は前部フランジ７１ａに密接する。
【０１００】
これにより、貯蔵室の開口部周縁に効率よく熱を伝導させることができ、適切に結露防止効果が発揮される。
【０１０１】
特に折り返して形成した前部フランジ７１ａから後部フランジ７１ｂにかけて外箱７１と密着させることで放熱パイプ８０の熱が効率よく外箱外周部に伝わる。
【０１０２】
さらに後部フランジ７１ｂは、内箱７０の開口部前面壁７０ａが挿入しやすいように先端部を後方に折り返されている。これにより放熱パイプ８０がフランジ先端に当たって損傷することを防止できる。また、後部フランジ７１ｂは前部フランジ７１ａより短い構成としており、この後部フランジ７１ｂを伝っての貯蔵室内への熱伝導を抑制するものである。
【０１０３】
図５は、本実施の形態における冷蔵庫の放熱パイプが取り付けられた状態の内箱の拡大斜視図である。具体的には野菜室５６付近の拡大斜視図である。
【０１０４】
図５に示すように、放熱パイプ８０は野菜室５６の開口部周縁の一部を構成する開口部前面壁７０ａに取り付けられる。また、第四の仕切壁９４の前面にも放熱パイプ８０は取り付けられる。
【０１０５】
なお、放熱パイプ８０は、図３および図４に示すように、最終的には開口部前面壁７０ａと前部フランジ７１ａとにより固定されるため、内箱７０への取り付け時点では、テープまたは接着剤等で仮止めする程度の取り付け方でよい。
【０１０６】
このとき、テープは貯蔵室内への熱侵入を低減するために、熱伝導性の低い紙製のテープなどを使うと良い。
【０１０７】
本実施の形態では、このように内箱７０に放熱パイプ８０を取り付けた後に、外箱７１に内箱７０を組み込むことで、断熱箱体５２を組み立てる。
【０１０８】
ここで、断熱箱体５２を組み立てる際、図１１を用いて説明したように、外箱７１を広げる必要がある。また、本実施の形態の放熱パイプ８０には、図２（Ａ）および図２（Ｂ）に示すように、冷蔵庫５１の中段付近となる部分に断熱箱体５２内で左右に渡される部分が存在する。
【０１０９】
そのため、放熱パイプ８０を外箱７１に取り付けた場合は、外箱７１を広げることができない。
【０１１０】
しかし、本実施の形態では、放熱パイプ８０は内箱７０に取り付けられる。そのため、このような断熱箱体５２の組立工程に放熱パイプ８０の形状は関与せず、外箱７１を広げて下から内箱７０を挿入することに何の問題もない。
【０１１１】
このように、本実施の形態の冷蔵庫５１は、冷蔵室５３を除く各貯蔵室の開口部周縁に放熱パイプ８０が配置される。
【０１１２】
具体的には、放熱パイプ８０は、各貯蔵室の開口部の左右となる部分においては、内箱７０の開口部前面壁７０ａの周縁部に取り付けられる。
【０１１３】
これにより、放熱パイプ８０からの熱が貯蔵室に伝わりにくくなる。つまり、貯蔵室の冷却効率の低下が問題になるほどの熱の影響を貯蔵室に与えることがない。
【０１１４】
また、このように配置するための放熱パイプ８０の形状には、その一部に左右に渡される部分が存在する。そのため、放熱パイプ８０を単独で取り扱う際の容易性が向上する。
【０１１５】
このように、本実施の形態の冷蔵庫５１は、貯蔵室周縁での結露の継続的な発生を防止するとともに冷却効率を低下させず、かつ、効率よく生産することが可能な冷蔵庫である。
【０１１６】
なお、図３および図４に示す、内箱７０に対する放熱パイプ８０の取付態様は、放熱パイプ８０からの熱が貯蔵室内へ伝わり難い態様の一例である。
【０１１７】
なお、本実施の形態では、貯蔵室として、上部より冷蔵室５３、製氷室５４、製氷室５４に併設され庫内の温度が変更可能な切換室５５、野菜室５６、および冷凍室５７を備えたものとしたが、野菜室５６と冷凍室５７の位置が入れ替わってもよく、また、製氷室５４に併設され庫内の温度が変更可能な切換室５５を冷凍室としてもよい。
【０１１８】
つまりこのような効果のある取り付けの態様は他にも存在する。そこで、以下に、実施の形態１の変形例として内箱７０に対する放熱パイプ８０の各種の取付態様を説明する。
【０１１９】
（実施の形態２）
図６は、本発明の実施の形態２における冷蔵庫の放熱パイプの取付態様を示す切断面図である。
【０１２０】
なお、図６の切断面図は、図２（Ａ）のＡ−Ａ切断面に相当する位置での切断面を示している。後述する図７および図８においても同じである。
【０１２１】
図６に示すように、実施の形態２における放熱パイプ８０は、開口部前面壁７０ａの周縁部に配置されている。
【０１２２】
さらに、開口部前面壁７０ａの周縁部には放熱パイプの当接部７０ｂが設けられており、放熱パイプ８０の外周の１／４程度が開口部前面壁７０ａの外周端部後方面で当接保持されている。
【０１２３】
つまり、放熱パイプ８０は、一部が開口部前面壁７０ａの背面に沿う状態で、内箱７０に取り付けられている。
【０１２４】
このように、本実施の形態では、貯蔵室（図６における右側の空間）から最も遠い位置に放熱パイプ８０が配置されている。これにより、放熱パイプ８０から放出される熱が貯蔵室内部に伝わり難い構造となっている。
【０１２５】
また、当接部７０ｂの内側に曲げ弾性部７０ｃを設けてあるので、当接部７０ｂから後部フランジ７１ｂの方向に放熱パイプ８０を押し付けることができる。さらに後部フランジ７１ｂは前部フランジ７１ａと比べて外箱７１外周に密着させていないので弾性を有しており、当接部７０ｂと挟み込む形で放熱パイプ８０を熱伝導よく密着固定することができる。
【０１２６】
なお、外箱７１の側面と後部フランジ７１ｂとを離して構成することで、さらに後部フランジ７１ｂに弾性をもたせ、放熱パイプ８０との密着性をより高めることが可能である。
【０１２７】
これにより、貯蔵室の開口部周縁に効率よく熱を伝導させることができ、適切に結露防止効果が発揮される。
【０１２８】
さらに後部フランジ７１ｂは、内箱７０の開口部前面壁７０ａが挿入しやすいように先端部を後方に折り返されている。これにより放熱パイプ８０がフランジ先端に当たって損傷することを防止できる。また、後部フランジ７１ｂは前部フランジ７１ａより短い構成としており、この後部フランジ７１ｂを伝っての貯蔵室内への熱伝導を抑制するものである。
【０１２９】
こうすることで、当該溝に放熱パイプ８０を埋めるように配置する場合よりも、放熱パイプ８０を貯蔵室から遠くへ位置させることができる。
【０１３０】
（実施の形態３）
図７は、本発明の実施の形態３における冷蔵庫の放熱パイプの取付態様を示す切断面図である。
【０１３１】
図７に示すように、実施の形態３における開口部前面壁７０ａは、実施の形態１と同じく開口部前面壁７０ａの周縁部に放熱パイプ８０が配置されている。
【０１３２】
開口部前面壁７０ａの周縁部には長手方向にＶ溝形状の凹部である当接部７０ｂが設けられており、放熱パイプ８０が空間部７０ｄを設けて当接保持されている。
【０１３３】
すなわち、放熱パイプ８０が当接部７０ｂに取り付けられた時に、放熱パイプ８０の一部が当接部７０ｂの内壁と線接触し、接触部の奥に空間部７０ｄが設けられている。つまり、放熱パイプ８０の一部が当接部７０ｂの内壁と接触する接触部７０ｆを形成し、接触部７０ｆより後方に空間部７０ｄが設けられている。
【０１３４】
このように、本実施の形態では、空間部７０ｄを設けて放熱パイプ８０が配置されているので、放熱パイプ８０と内箱の開口部前面壁７０ａとの接触面積を小さなものとすることができる。また、当接部７０ｂは２つの直線部で構成されるＶ溝形状であるので、放熱パイプ８０との接触を最小限に抑えることができるので、放熱パイプ８０から放出される熱が開口部前面壁７０ａを経由して貯蔵室内部に伝わり難い構造となっている。
【０１３５】
また、当接部７０ｂの背面を後部フランジ７１ｂから前部フランジ７１ａの方向に放熱パイプ８０を押し付けるよう弾性を付与しているが、空間部７０ｄがあるので、放熱パイプ８０が開口部前面壁７０ａに密着することを防止できる。特に、当接部７０ｂが溝形状であるために放熱パイプ８０の保持性は良化するが、貯蔵室側に放熱パイプ８０の保持位置が近づくので、開口部前面壁７０ａに密着保持することは熱侵入量を増加させることになる。
【０１３６】
これにより、貯蔵室の開口部周縁に効率よく熱を伝導させることができ、適切に結露防止効果が発揮される。
【０１３７】
なお、図７では、当接部７０ｂの断面形状は、ほぼ直線の２辺により構成されるＶ字形状である。しかし、Ｖ字形状はこのような形状に限定されない。例えば、この２辺のそれぞれが外側に反った（内側に凹んだ）曲線で構成されたＶ字形状でもよい。
【０１３８】
当接部７０ｂの断面形状がこのようなＶ字形状である場合、放熱パイプ８０と開口部前面壁７０ａとの接触面積をより確実に小さくすることができる。つまり、放熱パイプ８０から貯蔵室への熱の伝導量をより確実に抑制することができる。
【０１３９】
なお、外箱７１に内箱７０の開口部前面壁７０ａに相対する前部フランジ７１ａを形成し、凹部内に放熱パイプ８０を設置して外箱７１に内箱７０を挿入した状態において、放熱パイプ８０が外箱７１の前部フランジ７１ａに接触していることにより、放熱パイプ８０が外箱７１の前部フランジ７１ａに密着したこととなり、外箱７１の前部フランジ７１ａの温度を効率よく上昇させるとともに、ウレタン漏れを防止できる。
【０１４０】
また、外箱７１に内箱７０の開口部前面壁７０ａに相対する前部フランジ７１ａを形成し、凹部内に放熱パイプ８０を設置して外箱７１に内箱７０を挿入した状態において、凹部を形成する内箱７０が空間部７０ｄを介して弾性を有することにより、放熱パイプ８０を外箱７１の前部フランジ７１ａに圧接することにより、空間部７０ｄが寸法誤差を吸収し放熱パイプ８０は前部フランジ７１ａに対して付勢力をもって密着できることとなり、外箱７１の前部フランジ７１ａの温度をより効率よく上昇させるとともに、ウレタン漏れを防止できる。
【０１４１】
また、凹部内に放熱パイプ８０を設置した状態においては、放熱パイプ８０の前端面は凹部の先端部より突出しておらず凹部の先端部内に収容され、外箱７１に内箱７０を挿入した状態において、凹部を形成する内箱７０の弾性によって放熱パイプ８０の前端面が凹部の先端部より押し出され、放熱パイプ８０を外箱７１の前部フランジ７１ａに圧接することにより、外箱７１に内箱７０を挿入する際には、放熱パイプ８０が外箱７１に当たらないこととなり、外箱７１を内箱７０にスムーズに挿入できるとともに、外箱７１に内箱７０を挿入した状態においては、空間部７０ｄが寸法誤差を吸収し放熱パイプ８０は前部フランジ７１ａに対して付勢力をもって密着できることとなり、外箱７１の前部フランジ７１ａの温度をより一層効率よく上昇させることができる。
【０１４２】
（実施の形態４）
図８は、本発明の実施の形態４における冷蔵庫の放熱パイプの取付態様を示す切断面図である。
【０１４３】
図８に示すように、当接部７０ｂは開口部前面壁７０ａの前面側の長手方向に形成された凹部溝で、凹部溝の内面側に半円形状の突起７０ｅを備えた構成となっている。放熱パイプ８０は、この突起７０ｅに接した状態で、外箱７１の前部フランジ７１ａに押し付けられているので、突起７０ｅ間に空間部７０ｄが設けられている。すなわち、空間部７０ｄは複数の突起７０ｅの相互間において放熱パイプ８０の後方に形成されている。
【０１４４】
図９は、本実施の形態における冷蔵庫の当接部に設けた複数の突起の配置例を示す図である。
【０１４５】
複数の突起７０ｅは、例えば図９に示すように、所定の間隔をあけて当該溝に設けられている。つまり、開口部前面壁７０ａの一部には、長手方向に溝が形成されており、この溝には長手方向に複数の突起７０ｅが並んで形成されている。
【０１４６】
なお、突起７０ｅの配置間隔は、所定の値に限定されるものではないが、例えば３０ｍｍ〜１２０ｍｍ程度であり、好ましくは５０ｍｍ〜６０ｍｍである。突起７０ｅの間隔が広すぎると、放熱パイプ８０が撓んでいるときなどに放熱パイプ８０が当接部７０ｂと接する部分が長くなり接触面積が増え、放熱パイプ８０から内箱７０への熱の伝導量が多くなる。また、突起７０ｅの間隔が狭すぎると、放熱パイプ８０と突起７０ｅとが接する部分が長くなり接触面積が増え、放熱パイプ８０から内箱７０への熱の伝導量が多くなる。このため、突起７０ｅの配置間隔は、上記の範囲が好ましい。
【０１４７】
また、突起７０ｅの高さは、所定の値に限定されるものではないが、例えば０．３ｍｍ〜３ｍｍ程度であり、好ましくは０．５ｍｍ〜１．５ｍｍである。
【０１４８】
また、突起７０ｅの幅（放熱パイプ８０の軸方向）は、所定の値に限定されるものではないが、例えば０．５ｍｍ〜３ｍｍ程度であり、好ましくは０．８ｍｍ〜１．５ｍｍである。
【０１４９】
このように複数の突起７０ｅを所定の間隔をあけて溝内に並べて配置することにより、放熱パイプ８０は、一部が当該溝に沿って複数の突起７０ｅに接触する状態で、内箱７０に取り付けられることになるので空間部７０ｄにより、放熱パイプ８０と開口部前面壁７０ａとの接触面積を小さくすることができる。
【０１５０】
このように、放熱パイプ８０と開口部前面壁７０ａとの接触面積を少なくすることで、放熱パイプ８０から貯蔵室への熱の伝導量をより少ないものとすることができる。
【０１５１】
なお、放熱パイプ８０から内箱へ熱を伝え難くする手法としては、例えば、放熱パイプ８０と内箱７０との間にウレタンフォーム等の断熱材を敷くことも考えられる。
【０１５２】
しかし、図８および図９に示すように、溝内に突起７０ｅを設ける場合、例えば、内箱７０を真空成型により作製する際に同時に複数の突起７０ｅを形成させることができる。
【０１５３】
つまり、溝内に突起７０ｅを設けることにより放熱パイプ８０から内箱７０への熱の伝導量を空間部７０ｄを用いて抑制する方法は、断熱材等の別の部材を使用する必要もなく、また、断熱材等の敷設などの別工程も必要がないという点において、経済的、生産効率的に有利である。
【０１５４】
さらに、開口部前面壁７０ａに複数の突起７０ｅを有することで、開口部前面壁７０ａの形状を維持するための構造強度を向上させることができ、安定した空間部７０ｄの構成が可能となる。
【０１５５】
なお、本実施の形態では、突起７０ｅの配置間隔は一定間隔としたが、必要に応じて、放熱パイプから内箱への熱の伝導量を少なくしたい箇所については、突起７０ｅの配置間隔を広くし、あるいは、その逆で、放熱パイプから内箱への熱の伝導量を多くしたい箇所については、突起７０ｅの配置間隔を狭くすればよい。つまり、突起７０ｅの配置間隔は必ずしも一定間隔としなくてもよい。
【０１５６】
以上説明したように、冷蔵庫５１において、実施の形態２から実施の形態４に示す態様で放熱パイプ８０を内箱７０に取り付けた場合であっても、貯蔵室周縁での結露の継続的な発生を防止するとともに冷却効率を低下させないようにすることができる。
【０１５７】
具体的には、実施の形態２では、実施の形態１と同じく、貯蔵室からより遠い位置に放熱パイプ８０を取り付けることで、貯蔵室への熱の伝導量を少ないものとしている。
【０１５８】
また、実施の形態３、実施の形態４では、放熱パイプ８０と、内箱７０との接触面積をより少ないものとすることで、貯蔵室への熱の伝導量を少ないものとしている。
【０１５９】
いずれの態様であっても、貯蔵室への熱の伝導量を少ないものとすることができ、放熱パイプ８０による結露防止作用が、当該貯蔵室における冷却効率の低下を招かないようにすることができる。
【０１６０】
また、放熱パイプ８０の取付態様をいずれにする場合であっても、放熱パイプ８０の形状を、図２（Ａ）および図２（Ｂ）に示すような形状にすることの妨げとはならない。
【０１６１】
従って、放熱パイプ８０の取付態様が実施の形態２から実施の形態４のいずれの場合であっても貯蔵室周縁での結露の継続的な発生を防止するとともに冷却効率を低下させず、かつ、効率よく生産することが可能な冷蔵庫を実現することができる。
【産業上の利用可能性】
【０１６２】
本発明は、貯蔵室周縁での結露の継続的な発生を防止するとともに冷却効率を低下させず、かつ、効率よく生産することが可能な冷蔵庫を提供することができる。従って、本発明は、家庭用および業務用など様々な種類および大きさの冷蔵庫等に適用できる。
【図面の簡単な説明】
【０１６３】
【図１】本発明の実施の形態１における冷蔵庫の正面図
【図２】（Ａ）本発明の実施の形態１の冷蔵庫における放熱パイプの配置態様を示す図（Ｂ）本発明の実施の形態１における冷蔵庫の放熱パイプの外観、および冷却サイクルを説明するための図
【図３】図２（Ａ）におけるＡ−Ａ切断面を示す図
【図４】図３に示す切断面の斜視図
【図５】本発明の実施の形態１における冷蔵庫の放熱パイプが取り付けられた状態の内箱の拡大斜視図
【図６】本発明の実施の形態２における冷蔵庫の放熱パイプの取付態様を示す切断面図
【図７】本発明の実施の形態３における冷蔵庫の放熱パイプの取付態様を示す切断面図
【図８】本発明の実施の形態４における冷蔵庫の放熱パイプの取付態様を示す切断面図
【図９】本発明の実施の形態４における冷蔵庫の当接部の前面側に形成された凹部における複数の突起の配置例を示す図
【図１０】従来の冷蔵庫の前面部における放熱パイプの配置態様の一例を示す正面図
【図１１】従来の断熱箱体の組立工法の概要を示す図
【図１２】従来の冷蔵庫における放熱パイプの配置態様の別の一例を示す透視図
【符号の説明】
【０１６４】
５１  冷蔵庫
５２  断熱箱体
５３  冷蔵室（貯蔵室）
５４  製氷室（貯蔵室）
５５  切換室（貯蔵室）
５６  野菜室（貯蔵室）
５７  冷凍室（貯蔵室）
７０  内箱
７０ａ  開口部前面壁
７０ｂ  当接部
７０ｃ  弾性部
７０ｄ  空間部
７０ｅ  突起
７０ｆ  接触部
７１  外箱
７１ａ  前部フランジ
７１ｂ  後部フランジ
７２  発泡断熱材
８０  放熱パイプ
８１  圧縮機
８２  凝縮器
８３  冷却器
【図２】
2009156478.tif 000003
【図３】
2009156478.tif 000004
【図４】
2009156478.tif 000005
【図５】
2009156478.tif 000006
【図６】
2009156478.tif 000007
【図７】
2009156478.tif 000008
【図８】
2009156478.tif 000009
【図９】
2009156478.tif 000010
【図１０】
2009156478.tif 000011
【図１１】
2009156478.tif 000012
【図１２】
2009156478.tif 000013
【図１】
2009156478.tif 000014